(57)【要約】【課題】既存のコンセントを占有せずに他の機器の電源を確保しつつ、ノイズを低減して良好にＰＬＣが可能である電力線搬送通信用配線器具を提供する。【解決手段】ハウジング１は、表面に通信ケーブルが接続されるモジュラージャック３と電気機器の栓刃が挿入される栓刃挿入口２０が形成されている。壁面などの造営面に設けられた埋込孔に後端部を埋め込む形で埋込配設されている。コモンモードチョークコイル１２は、プラグ部４と電力線搬送通信用モデム１５との間に介設され、電力線搬送通信用モデム１５のコモンモードノイズを遮断する。フィルタ回路１３は、タップ部１４とコモンモードチョークコイル１２との間に介設され、ＰＬＣの通信帯域（例えば２ＭＨｚ〜３０ＭＨｚ）を遮断する。【選択図】図２
2008072607.tif 000002
【特許請求の範囲】
【請求項１】
コンセントに差込接続することで建物に配線された電力線と接続される栓刃と、
背面から前記栓刃が突出するハウジングと、
前記ハウジング内に収納され、電力線搬送通信用の信号を変復調する電力線搬送通信用モデムと、
前記ハウジング内に収納され、前記電力線搬送通信用モデムと通信機器とのインタフェースを行う通信インタフェースと、
前記ハウジングの表面に設けられ、通信機器と通信インタフェースとを接続する通信ケーブルが挿抜自在に挿着されるコネクタと、
前記栓刃を介して電力線に接続される刃受けと、
前記ハウジング内に収納され、前記電力線搬送通信用モデムと前記栓刃との間に介設され、前記電力線搬送通信用モデムのコモンモードノイズを遮断するコモンモードチョークコイルと、
前記ハウジング内に収納され、前記コモンモードチョークコイルと前記刃受けとの間に介設され、電力線搬送通信の通信帯域を遮断するフィルタ回路とを備え、
電源プラグの栓刃を挿入して前記刃受けに接続するための栓刃挿入口が前記ハウジングの表面に設けられたことを特徴とする電力線搬送通信用配線器具。
【請求項２】
前記コモンモードチョークコイルと前記栓刃との間に、前記電力線搬送通信用モデムへの給電をオンオフする第１のスイッチを介設したことを特徴とする請求項１に記載の電力線搬送通信用配線器具。
【請求項３】
前記フィルタ回路と並列に第２のスイッチを設けたことを特徴とする請求項１又は２に記載の電力線搬送通信用配線器具。
【請求項４】
前記フィルタ回路は、コモンモードノイズ及びノーマルモードノイズを遮断することを特徴とする請求項１乃至３のいずれか１項に記載の電力線搬送通信用配線器具。
【発明の詳細な説明】
【技術分野】
【０００１】
本発明は、オフィスや住宅等の建物に配線された電力線を利用してデータ通信を行うための電力線搬送通信用配線器具に関するものである。
【背景技術】
【０００２】
近年、オフィスや住宅においても複数台のコンピュータをつないだローカル・エリア・ネットワーク（Local Area Network、以下、「ＬＡＮ」と略記する。）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には、配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の配線（電力線）を利用してデータ通信を行う電力線搬送信（Powre Line Communication、以下、「ＰＬＣ」と略記する。）が提案されている。ＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要である。ＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうので、コンピュータや他の機器の電源を確保するためにテーブルタップ等を用いる必要が生じてしまう。
【０００４】
また、電力線は、５０Ｈｚや６０Ｈｚの商用周波数の電流が流れることを前提に設計されているため、高い周波数であるＰＬＣの通信信号が流れるとＰＬＣの通信信号が輻射して輻射ノイズを発生し、他の機器に影響を与えてしまう。特に、近年、インターネット等の高速通信に対応可能とすること等を目的として法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による電力線からの輻射が増大する。
【０００５】
また、逆に、コンセントを介して電力線に接続された機器や電力線の付近に配置された機器等の他の機器に起因したノイズが電力線に乗る場合があり、このようなノイズに対する対策も必要である。
【０００６】
本発明は、上記事情に鑑みてなされたものであり、使用可能なコンセントの減少を抑制しつつ、ノイズを低減して良好にＰＬＣが可能である電力線搬送通信用配線器具を提供することを目的とする。
【課題を解決するための手段】
【０００７】
本発明による電力線搬送通信用配線器具は、コンセントに差込接続することで建物に配線された電力線と接続される栓刃と、背面から前記栓刃が突出するハウジングと、前記ハウジング内に収納され、電力線搬送通信用の信号を変復調する電力線搬送通信用モデムと、前記ハウジング内に収納され、前記電力線搬送通信用モデムと通信機器とのインタフェースを行う通信インタフェースと、前記ハウジングの表面に設けられ、通信機器と通信インタフェースとを接続する通信ケーブルが挿抜自在に挿着されるコネクタと、前記栓刃を介して電力線に接続される刃受けと、前記ハウジング内に収納され、前記電力線搬送通信用モデムと前記栓刃との間に介設され、前記電力線搬送通信用モデムのコモンモードノイズを遮断するコモンモードチョークコイルと、前記ハウジング内に収納され、前記コモンモードチョークコイルと前記刃受けとの間に介設され、電力線搬送通信の通信帯域を遮断するフィルタ回路とを備え、電源プラグの栓刃を挿入して前記刃受けに接続するための栓刃挿入口が前記ハウジングの表面に設けられたことを特徴とする（請求項１）。
【０００８】
この構成によれば、ハウジングの背面に設けられた栓刃を介して電力線に接続され、ハウジングの表面に通信ケーブルが取り付け可能なコネクタと、電気機器の栓刃が挿入される栓刃挿入口とが設けられているため、使用可能なコンセントの減少を抑えつつ電力通信が可能となる。
【０００９】
また、電力線搬送通信用モデムと栓刃との間にコモンモードチョークコイルが介設されているため、電力線搬送通信用モデムで生じたコモンモードノイズが栓刃を介して電力線へ流出することが抑制され、輻射ノイズを低減することができる。
【００１０】
また、コモンモードチョークコイルと刃受けとの間に介設されたフィルタ回路を備えるため、刃受けを介して接続された電気機器で生じたノイズが、刃受け及びコモンモードチョークコイルを介して電力線搬送通信用モデムへ流入することが抑制される。その結果、他の機器の電源を確保しつつノイズを低減して良好にＰＬＣが可能となる。
【００１１】
そして、前記コモンモードチョークコイルと前記栓刃との間に、前記電力線搬送通信用モデムへの給電をオンオフする第１のスイッチを介設することが好ましい（請求項２）。
【００１２】
この構成によれば、電力線搬送通信用モデムの使用を予定していない場合に、第１のスイッチをオフにすることで、電力線搬送通信用モデムの待機電力をゼロにすることができる。
【００１３】
そして、前記フィルタ回路と並列に第２のスイッチを設けることが好ましい（請求項３）。
【００１４】
この構成によれば、第２のスイッチをオンすると刃受けがフィルタ回路を介さずにコモンモードチョークコイルを介して電力線搬送通信用モデムと接続されるため、刃受けに電力線搬送通信機能を持つ通信機器を接続することで、当該通信機器との電力線搬送通信を実現することができる。
【００１５】
そして、前記フィルタ回路は、コモンモードノイズ及びノーマルモードノイズを遮断することが好ましい（請求項４）。
【００１６】
この構成によれば、フィルタ回路がコモンモードノイズ及びノーマルモードノイズを遮断するので、電気機器が刃受けを介して接続された場合に、当該電気機器で生じたコモンモードノイズ及びノーマルモードノイズが刃受けを介して電力線搬送通信用モデムへ流入することが抑制される。
【発明の効果】
【００１７】
本発明によれば、使用可能なコンセントの減少を抑えつつ、ノイズを低減して良好にＰＬＣが可能である電力線搬送通信用配線器具を提供することができる。
【発明を実施するための最良の形態】
【００１８】
以下、本発明の実施の形態について図面を用いて説明する。なお、各図において同一の符号を付した構成は、同一の構成であることを示し、説明を省略する。
【００１９】
（実施の形態１）
図１は、実施の形態１による電力線搬送通信用配線器具Ａ１の外観構成図を示し、（ａ）は正面図、（ｂ）は側面図、（ｃ）は上面図を示している。実施の形態１の電力線搬送通信用配線器具Ａ１は、コンセントに差込接続することで建物の屋内に配線された電力線と接続される一対の栓刃４ａ，４ａを含むプラグ部４と、略箱形に形成され背面の上部中央から栓刃４ａ，４ａが突出するハウジング１とを備える。
【００２０】
ハウジング１は略箱形の合成樹脂成型品からなり、前面上部には通信ケーブル（ＣＡＴ５のＬＡＮケーブル）１２０（図７参照）の先端に付設されているコネクタ（ＲＪ−４５のモジュラープラグ）１２１が挿抜自在に接続される受け側コネクタ（ＲＪ−４５のモジュラージャック３）の差込口３ａが露出している。
【００２１】
さらにハウジング１の前面下部には、電源プラグの栓刃が挿入される一対の栓刃挿入口２０，２０を含むタップ部１４が設けられている。また、タップ部１４は、ハウジング１内に収納され、栓刃挿入口２０に挿入された栓刃を受ける一対の刃受け２１，２１（図２参照）を含む。また、ハウジング１前面の差込口３ａの上方には表示素子（発光ダイオード）ＬＤが露出している。モジュラージャック３の下方には、後述するスイッチ部１７が設けられている。
【００２２】
なお、コネクタが差込口３ａに差し込まれていない場合に埃等が入らないようにするために、例えば、前方へ突出する操作つまみが突設された、上下方向に移動自在である扉によって開閉自在に閉塞されるように、差込口３ａが構成されてもよい。
【００２３】
図２は、電力線搬送通信用配線器具Ａ１の回路構成を示すブロック図である。図２に示す電力線搬送通信用配線器具Ａ１は、モジュラージャック３、プラグ部４、電源部５、表示回路１１、コモンモードチョークコイル１２、フィルタ回路１３、タップ部１４、電力線搬送通信用モデム１５、通信インタフェース１６、及びスイッチ部１７を備える。
【００２４】
プラグ部４は、コンセントに差し込むことで屋内に配線されている電力線と接続され、一対の栓刃４ａ，４ａを含む。タップ部１４は、一対の刃受け２１，２１を含み、刃受け２１，２１に栓刃が挿入された電気機器に電力線からの電力を供給する。
【００２５】
電力線搬送通信用モデム１５は、結合回路６、送受信部７、及びモデム８を少なくとも含み、電力線搬送通信用の通信信号を変復調する。結合回路６は、コンデンサＣ１，Ｃ２及び絶縁トランスＴを備える。コンデンサＣ１，Ｃ２は、商用電源周波数（電源成分）をカットするコンデンサである。絶縁トランスＴは、１次側がコンデンサＣ１，Ｃ２を介してコモンモードチョークコイル１２に接続され、２次側が送受信部７に接続されている。
【００２６】
送受信部７は、結合回路６とモデム８との間に接続され、絶縁トランスＴの２次側に接続されて電力線との間で電力線搬送通信用の信号（以下、通信信号と呼ぶ。）を送受信する。すなわち、送受信部７は、結合回路６により出力された通信信号をモデム８の受信に適した信号形態に変換し、受信信号ＲＸとしてモデム８に出力する受信回路７ａと、モデム８から出力された送信信号Ｔｘを電力線搬送通信用の信号形態に変換し、結合回路６に出力する送信回路７ｂとを備えている。
【００２７】
モデム８は、電力線に重畳して伝送される所定形式の通信信号からデータ信号を復調する復調機能並びにコンピュータなどの通信機器側の送信データを所定形式の通信信号に変調する変調機能を有する。
【００２８】
このように、結合回路６、送受信部７、及びモデム８を少なくとも備える電力線搬送通信用モデム１５が構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００２９】
通信インタフェース１６は、ＬＡＮコントローラ９及び制御回路１０を備える。ＬＡＮコントローラ９は、モジュラージャック３に接続される通信ケーブルを介して通信機器との間で１００ＢＡＳＥ−ＴＸなどの規格に準拠したデータ伝送を行う。制御回路１０は、ＣＰＵを主構成要素とし、モデム８とＬＡＮコントローラ９との間で授受するデータ（パケット）のフィルタリングなどのセキュリティ機能や、データ伝送中であることを知らせるために表示回路１１を制御して表示回路１１が有する表示素子ＬＤを発光させる機能等を有している。
【００３０】
モジュラージャック３は、例えばＲＪ−４５等の規格に準拠するコネクタであり、通信ケーブルを介して通信機器と接続される。
【００３１】
表示回路１１は、図１に示す表示素子ＬＤから構成され、制御回路１０の制御の下、発光、点滅等することで、現在、データが伝送中であるというような情報を報知する。
【００３２】
電源部５は、電力線からプラグ部４及びコモンモードチョークコイル１２を介して給電される商用交流電源から直流電源を生成し、送受信部７、モデム８、ＬＡＮコントローラ９、制御回路１０、及び表示回路１１等の各回路へ、直流電力を供給する。詳細には、電源部５は、ＰＬＣの周波数帯域（例えば２ＭＨｚ〜３０ＭＨｚ）に対して高インピーダンスになるインピーダンスアッパ回路５ａと、ＡＣ−ＤＣコンバータからなる電源回路５ｂとを備える。
【００３３】
コモンモードチョークコイル１２は、プラグ部４と電力線搬送通信用モデム１５との間（具体的には、スイッチ部１７と結合回路６との間）に介設され、電力線搬送通信用モデム１５のコモンモードノイズを遮断する。これにより、電力線搬送通信用モデム１５で生じたコモンモードノイズが、電力線へ流出することが抑制され、輻射ノイズが低減される。
【００３４】
フィルタ回路１３は、タップ部１４とコモンモードチョークコイル１２との間に介設され、ＰＬＣの通信帯域（例えば２ＭＨｚ〜３０ＭＨｚ）を遮断する。これにより、タップ部１４に電気的に接続された電気機器で生じたノイズが電力線搬送通信用モデム１５に流入することが抑制される。また、フィルタ回路１３は、コモンモードノイズを遮断する機能及びノーマルモードノイズを遮断する機能を備えている。コモンモードノイズを遮断する機能は、フィルタ回路１３に、コモンモードチョークコイル１２を設けることで実現することができる。また、ノーマルモードノイズを遮断する機能は、コイル、抵抗、コンデンサ等から構成され、ノーマルモードノイズを遮断するフィルタを、フィルタ回路１３に設けることで実現することができる。
【００３５】
スイッチ部１７（第１のスイッチ）は、コモンモードチョークコイル１２とプラグ部４との間に接続され、線路Ｌ１に接続されたスイッチＳ１１と線路Ｌ２に接続されたスイッチＳ１２と、図１に示すつまみＳ１３とを備える。線路Ｌ１は、コモンモードチョークコイル１２とプラグ部４とを接続する。線路Ｌ２は、コモンモードチョークコイル１２とプラグ部４とを接続する。図１に示すように、つまみＳ１３は、ハウジング１の前面において左右方向にスライド可能に配設されている。つまみＳ１３が例えば左側にスライドされると、スイッチＳ１１，Ｓ１２が共にオフされ、つまみＳ１３が例えば右側にスライドされると、スイッチＳ１１，Ｓ１２が共にオンされる。
【００３６】
スイッチＳ１１，Ｓ１２がオフされると、電力線から電力線搬送通信用モデム１５側への電力供給が遮断され、スイッチＳ１１，Ｓ１２がオンされると、電力線からの電力が電力線搬送通信用モデム１５側へ供給される。
【００３７】
ところで、実施の形態１による電力線搬送通信用配線器具Ａ１の栓刃４ａ，４ａが差込接続されるコンセントは、図３に示すように壁面のような造営面に埋込配設される埋込コンセント１００であることが望ましい。埋込コンセント１００は電力線搬送通信用配線器具Ａ１のハウジング１と嵌合する嵌合凹所１０１を有し、嵌合凹所１０１の底には一対の栓刃挿入口１０３を有するプラグ接続部１０２が上下に２つ並べて配設されている。ここで、電力線搬送通信用配線器具Ａ１を埋込コンセント１００に取り付ける際は、ハウジング１を嵌合凹所１０１内に挿入すると上側のプラグ接続部１０２の栓刃挿入口１０３に栓刃４ａがそれぞれ挿入され、電力線搬送通信用モデム１５と電源部５と刃受け２１とが栓刃４ａを介して各々電力線と接続される。
【００３８】
また、電力線搬送通信用配線器具Ａ１のハウジング１は、埋込コンセント１００の嵌合凹所１０１内に半分埋め込まれた状態で取り付けられるので、造営面からの突出量が少なくなり、造営面にすっきりと取り付けることができ、しかもハウジング１の周面が嵌合凹所１０１の内面によって保持されるので、ハウジング１のがたつきを無くすことができる。
【００３９】
このように、造営面に設置されたコンセントに栓刃４ａを差し込むことによって、電力線搬送通信用モデム１５等が電力線に接続されて電力線搬送通信を行うことができるので、コンセントが設置されている場所であれば、所望の場所にハウジング１を取り付けて使用することができる。しかも、ハウジング１前面に設けられた栓刃挿入口２０に電源プラグの栓刃を挿入すれば、ハウジング１内の刃受け２１を介して電源プラグが電力線に接続されて電源プラグに給電することが可能である。
【００４０】
上述のように実施の形態１の電力線搬送通信用配線器具Ａ１は、電力線からの電力を刃受け２１を介して栓刃挿入口２０に挿入される電源プラグに給電することができるため、使用可能なコンセントの減少を抑えつつ電力通信を行うことができる。
【００４１】
また、電力線搬送通信用モデム１５とプラグ部４との間にコモンモードチョークコイル１２が介設されているため、電力線搬送通信用モデム１５で生じたコモンモードノイズがプラグ部４を介して電力線へ流出することが抑制され、輻射ノイズを低減することができる。
【００４２】
また、コモンモードチョークコイル１２とタップ部１４との間に介設されたフィルタ回路１３を備えるため、タップ部１４を介して接続された電気機器で生じたノイズが、タップ部１４及びコモンモードチョークコイル１２を介して電力線搬送通信用モデム１５へ流入することが抑制され、他の機器の電源を確保しつつノイズを低減して良好にＰＬＣが可能となる。
【００４３】
また、コモンモードチョークコイル１２とフィルタ回路１３を備えているため、特に高速ＰＬＣに対して好適な電力線搬送通信用配線器具を提供することができる。
【００４４】
図４は、実施の形態１による電力線搬送通信用配線器具Ａ１の第１の変形例を示した図であり、（ａ）は正面図を示し、（ｂ）は側面図を示し、（ｃ）は下面図を示している。また、図５は図４に示す第１の変形例の斜視図を示している。図６は、実施の形態１による電力線搬送通信用配線器具Ａ１の第２の変形例の下面図を示し、図７は同第２の変形例の斜視図を示している。
【００４５】
第１の変形例による電力線搬送通信用配線器具Ａ１は、図４及び図５に示すようにハウジング１の前面中央にモジュラージャック３の差込口３ａが設けられているとともにハウジング１の下面に栓刃挿入口２０，２０が設けられている。また、第１の変形例では表示素子ＬＤ及びスイッチ部１７はハウジング１の前面に設けられている。
【００４６】
第２の変形例では、図６及び図７に示すようにハウジング１の下面にモジュラージャック３の差込口３ａと栓刃挿入口２０，２０とが並設されている。そして、第２の変形例では、表示素子ＬＤ及びスイッチ部１７は、ハウジングの下面に設けられている。このように栓刃挿入口２０，２０、若しくは栓刃挿入口２０，２０とモジュラージャック３の差込口３ａとの双方をハウジング１の下面に設ければ、電源コード１１０や通信ケーブル１２０がハウジング１から平行に突出する量を減少させて歩行や家具の邪魔になるのを抑えることができる。
【００４７】
（実施の形態２）
図８は本発明の実施の形態２による電力線搬送通信用配線器具Ａ２の外観斜視図を示している。図９は、実施の形態２による電力線搬送通信用配線器具Ａ２の回路ブロック図を示している。
【００４８】
実施の形態２による電力線搬送通信用配線器具Ａ２は、屋内に配線された電力線を介した電力線搬送通信を行うに当たり、予め決められた認証情報を各電力線搬送通信用配線器具Ａ２に保有しておき、互いの認証情報が一致した電力線搬送通信用配線器具Ａ２の間でのみ電力線搬送通信を許可することでセキュリティを確保することを特徴とする。そのため、実施の形態２の電力線搬送通信用配線器具Ａ２では、制御回路１０が具備するメモリ１０ａに上記認証情報を格納しておき、スイッチ１９がオンしたときに認証手段たる制御回路１０に対して認証処理を行わせるためのトリガ信号を与えるようにしている。
【００４９】
スイッチ１９は、例えばタクトスイッチからなり、図８に示すように、ハウジング１前面の右上部に設けられた操作釦１９ａによって押操作される。すなわち、スイッチ１９は、オフしている状態で、ユーザにより操作釦１９ａが押されるとオンし、オンしている状態で、ユーザにより操作釦１９ａが押されるとオフする。メモリ１０ａは、書き換え可能な不揮発性メモリから構成され、各電力線搬送通信用配線器具Ａ２に個別に与えられた認証情報を予め記憶する。
【００５０】
制御回路１０は、スイッチ１９からトリガ信号が入力されるとメモリ１０ａに格納した認証情報を読み出し、モデム８で通信信号（送信信号Ｔｘ）に変換させて送受信部７から電力線に送出させる。一方、上記通信信号を受信した他の電力線搬送通信用配線器具Ａ２の制御回路１０も、メモリに格納されている認証情報を通信信号によって電力線に送出する。そして、それぞれの電力線搬送通信用配線器具Ａ２の制御回路１０において、通信信号で受け取った認証情報をメモリ１０ａに格納されている認証情報と照合し、それらが一致した場合にだけ、それ以降の通信信号の送受信を許可し、一致しなければ通信信号の送受信を許可しない。
【００５１】
このように実施の形態２による電力線搬送通信用配線器具Ａ２によれば、予め決められた認証情報を共有する電力線搬送通信用配線器具Ａ２の間でのみ電力線搬送通信が可能となってデータ通信におけるセキュリティを確保することができる。
【００５２】
（実施の形態３）
図１０は、実施の形態３による電力線搬送通信用配線器具Ａ３の外観斜視図を示している。図１１は、実施の形態３による電力線搬送通信用配線器具Ａ３の回路ブロック図を示している。実施の形態３による電力線搬送通信用配線器具Ａ３は、通信機器とモデム８とのインタフェースとして、実施の形態１における１００ＢＡＳＥ−ＴＸの代わりにＵＳＢを用いる点に特徴がある。
【００５３】
図１０に示すようにハウジング１の前面上部には、モジュラージャック３の差込口３ａの代わりに、通信ケーブル（ＵＳＢケーブル）１３０（図１３参照）の先端に付設されているＵＳＢコネクタの差込側（以下、ＵＳＢプラグと呼ぶ。）１３１（図１３参照）が挿抜自在に接続されるＵＳＢコネクタの受け側（以下、ＵＳＢジャックと呼ぶ）１５０の差込口１５０ａが露出している。また、図１１に示すようにＵＳＢジャック１５０に接続される通信ケーブル（ＵＳＢケーブル）を介して通信機器との間でＵＳＢの規格に準拠してデータ伝送を行うためのＵＳＢコントローラ９ａがＬＡＮコントローラ９の代わりに設けてある。
【００５４】
そして、電力線搬送通信用配線器具Ａ３のＵＳＢジャック１５０とパーソナルコンピュータのＵＳＢジャックとをＵＳＢケーブルで接続すれば、パーソナルコンピュータ同士でＵＳＢケーブルを介して電力線搬送通信を行うことができる。
【００５５】
図１２は、実施の形態３による電力線搬送通信用配線器具Ａ３の第１の変形例を示している。この第１の変形例は、図１２に示すようにハウジング１の前面中央にＵＳＢジャック１５０の差込口１５０ａを設けるとともにハウジング１の下面に栓刃挿入口２０，２０を設けたことを特徴としている。なお、表示素子ＬＤ及びスイッチ部１７は、ハウジング１の前面に設けられている。
【００５６】
図１３は、実施の形態３による電力線搬送通信用配線器具Ａ３の第２の変形例を示している。この第２の変形例は、図１３に示すようにハウジング１の下面にＵＳＢジャック１５０の差込口１５０ａと栓刃挿入口２０，２０とが並設されている。また、実施の形態３において、実施の形態２と同様に制御回路１０が具備するメモリ１０ａに認証情報を格納しておき、図１４に示すようにハウジング１前面の右上部に設けられた操作釦１９ａが押操作されてスイッチ１９がオンしたときに制御回路１０に対して認証処理を行わせるためのトリガ信号を与えるようにしても構わない。
【００５７】
（実施の形態４）
次に、本発明の実施の形態４による電力線搬送通信用配線器具Ａ４について説明する。図１５は、実施の形態４による電力線搬送通信用配線器具Ａ４のブロック図を示している。図１６は、電力線搬送通信用配線器具Ａ４を埋込孔に埋込配設した状態を示した図である。
【００５８】
実施の形態４による電力線搬送通信用配線器具Ａ４は、実施の形態１による電力線搬送通信用配線器具Ａ１において、フィルタ回路１３と並列にスイッチ部１８（第２のスイッチ）を接続したことを特徴とする。スイッチ部１８は線路Ｌ３に接続されたスイッチＳ２１と線路Ｌ４に接続されたスイッチＳ２２と、図１６に示すつまみＳ２３とを備える。線路Ｌ３は、接続点Ｐ１において線路Ｌ１から分岐し、接続点Ｐ１と送りタップ部１４とを接続する。線路Ｌ４は、接続点Ｐ２において線路Ｌ２から分岐し、接続点Ｐ２と送りタップ部１４とを接続する。なお、スイッチ部１８がオンオフされる構成は、スイッチ部１７と同一であるため、説明を省略する。また、図１６に示すように、スイッチ部１７は、モジュラージャック３の下側に配設され、スイッチ部１８は、タップ部１４の下側に配設されている。
【００５９】
スイッチＳ２１，Ｓ２２がオンされると、タップ部１４がフィルタ回路１３を介さずにコモンモードチョークコイル１２を介して電力線搬送通信用モデム１５と接続される。そのため、スイッチＳ２１，Ｓ２２をオンし、タップ部１４に電力線搬送通信機能を持つ通信機器を接続することで、当該通信機器と電力線搬送通信を実現することができる。
【図面の簡単な説明】
【００６０】
【図１】実施の形態１による電力線搬送通信用配線器具Ａ１の外観構成図を示し、（ａ）は側面図、（ｂ）は正面図、（ｃ）は上面図を示している。図１（ａ）正面図を示している。
【図２】電力線搬送通信用配線器具Ａ１の回路構成を示すブロック図である。
【図３】電力線搬送通信用配線器具Ａ１が埋め込まれる造営面に設けられた埋込コンセントを示した図である。
【図４】実施の形態１による電力線搬送通信用配線器具Ａ１の第１の変形例を示した図であり、（ａ）は正面図を示し、（ｂ）は側面図を示し、（ｃ）は下面図を示している。
【図５】図４に示す第１の変形例の斜視図を示している。
【図６】実施の形態１による電力線搬送通信用配線器具Ａ１の第２の変形例の下面図を示している。
【図７】実施の形態１による電力線搬送通信用配線器具Ａ１の第２の変形例の斜視図を示している。
【図８】実施の形態２による電力線搬送通信用配線器具Ａ２の外観斜視図を示している。
【図９】実施の形態２による電力線搬送通信用配線器具Ａ２の回路ブロック図を示している。
【図１０】実施の形態３による電力線搬送通信用配線器具Ａ３の外観斜視図を示している。
【図１１】実施の形態３による電力線搬送通信用配線器具Ａ３の回路ブロック図を示している。
【図１２】実施の形態３による電力線搬送通信用配線器具Ａ３の第１の変形例を示している。
【図１３】実施の形態３による電力線搬送通信用配線器具Ａ３の第２の変形例を示している。
【図１４】実施の形態３による電力線搬送通信用配線器具Ａ３において、ハウジング１に操作釦１９ａを配設した構成を示した図である。
【図１５】実施の形態４による電力線搬送通信用配線器具Ａ４のブロック図を示している。
【図１６】電力線搬送通信用配線器具Ａ４を埋込孔に埋込配設した状態を示した図である。
【符号の説明】
【００６１】
Ａ１，Ａ２，Ａ３，Ａ４  電力線搬送通信用配線器具
１  ハウジング
２  取付枠
３  モジュラージャック
４  プラグ部
４ａ  栓刃
５  電源部
６  結合回路
７  送受信部
７ａ  受信回路
７ｂ  送信回路
８  モデム
９  ＬＡＮコントローラ
１０  制御回路
１１  表示回路
１２  コモンモードチョークコイル
１３  フィルタ回路
１４  タップ部
１５  電力線搬送通信用モデム
１６  通信インタフェース
１７  スイッチ部
１８  スイッチ部
２１  刃受け
Ｓ１１，Ｓ１２  スイッチ
Ｓ２１，Ｓ２２  スイッチ
【図１】
2008072607.tif 000003
【図２】
2008072607.tif 000004
【図３】
2008072607.tif 000005
【図４】
2008072607.tif 000006
【図５】
2008072607.tif 000007
【図６】
2008072607.tif 000008
【図７】
2008072607.tif 000009
【図８】
2008072607.tif 000010
【図９】
2008072607.tif 000011
【図１０】
2008072607.tif 000012
【図１１】
2008072607.tif 000013
【図１２】
2008072607.tif 000014
【図１３】
2008072607.tif 000015
【図１４】
2008072607.tif 000016
【図１５】
2008072607.tif 000017
【図１６】
2008072607.tif 000018
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
コンセントに差込接続することで建物に配線された電力線と接続される栓刃と、
背面から前記栓刃が突出する箱形のハウジングと、
前記ハウジング内に収納され、電力線搬送通信用の信号を変復調する電力線搬送通信用モデムと、
前記ハウジング内に収納され、前記電力線搬送通信用モデムと通信機器とのインタフェースを行う通信インタフェースと、
前記ハウジングの下面に設けられ、通信機器と通信インタフェースとを接続する通信ケーブルが挿抜自在に挿着されるコネクタと、
電気機器が接続される刃受けと、
前記ハウジング内に収納され、前記電力線搬送通信用モデムと前記栓刃との間に介設され、前記電力線搬送通信用モデムのコモンモードノイズを遮断するコモンモードチョークコイルと、
前記ハウジング内に収納され、前記コモンモードチョークコイル及び前記栓刃間を繋ぐ線路と前記刃受けとの間に介設され、電力線搬送通信の通信帯域を遮断するフィルタ回路とを備え、
前記電気機器の電源プラグの栓刃を挿入して前記刃受けに接続するための栓刃挿入口が前記ハウジングの下面に設けられたことを特徴とする電力線搬送通信用配線器具。
【請求項２】
前記コモンモードチョークコイルと前記栓刃との間に、前記電力線搬送通信用モデムへの給電をオンオフする第１のスイッチを介設したことを特徴とする請求項１に記載の電力線搬送通信用配線器具。
【請求項３】
前記フィルタ回路と並列に第２のスイッチを設けたことを特徴とする請求項１又は２に記載の電力線搬送通信用配線器具。
【請求項４】
前記フィルタ回路は、コモンモードノイズ及びノーマルモードノイズを遮断することを特徴とする請求項１乃至３のいずれか１項に記載の電力線搬送通信用配線器具。
【手続補正２】
【補正対象書類名】明細書
【補正対象項目名】０００７
【補正方法】変更
【補正の内容】
【０００７】
本発明による電力線搬送通信用配線器具は、コンセントに差込接続することで建物に配線された電力線と接続される栓刃と、背面から前記栓刃が突出する箱形のハウジングと、前記ハウジング内に収納され、電力線搬送通信用の信号を変復調する電力線搬送通信用モデムと、前記ハウジング内に収納され、前記電力線搬送通信用モデムと通信機器とのインタフェースを行う通信インタフェースと、前記ハウジングの下面に設けられ、通信機器と通信インタフェースとを接続する通信ケーブルが挿抜自在に挿着されるコネクタと、電気機器が接続される刃受けと、前記ハウジング内に収納され、前記電力線搬送通信用モデムと前記栓刃との間に介設され、前記電力線搬送通信用モデムのコモンモードノイズを遮断するコモンモードチョークコイルと、前記ハウジング内に収納され、前記コモンモードチョークコイル及び前記栓刃間を繋ぐ線路と前記刃受けとの間に介設され、電力線搬送通信の通信帯域を遮断するフィルタ回路とを備え、前記電気機器の電源プラグの栓刃を挿入して前記刃受けに接続するための栓刃挿入口が前記ハウジングの下面に設けられたことを特徴とする（請求項１）。